(57)【要約】      （修正有）【課題】上蓋を簡単に開けられ、或いはさらに係合部材をめくり上げ電子デバイスを反転させ立たせることができる保護ケース構造を提供する。【解決手段】保護ケース構造は底板１、底板と相互に連接される連接板２及び連接板のもう一つの端と連接される上蓋３を有する。底板、連接板及び上蓋間は相互に反転させられる。底板は第一底板１１及び第二底板１２を備える。第一底板上には電子デバイスを固定する係合部材１３が設置され、第二底板には電子デバイス周縁を覆って定位するカバー部材１４を設置する。第一底板及び第二底板は相互に反転させられる。係合部材１３及びカバー部材１４の設置により、電子デバイスを包んで固定することができる。また、上蓋を開き反転させ底板下方に重ねることができ、或いはさらに第一底板上の係合部材をめくり電子デバイスから離し、カバー部材内の電子デバイスを反転させ上蓋内側面に立たせて使用することができる。【選択図】図３
0003196372.tif 000002
【実用新案登録請求の範囲】
【請求項１】
保護ケース構造は、底板、一端が前記底板と相互に連接される連接板、及び該連接板のもう一つの端と連接される上蓋を有し、且つ前記底板、前記連接板及び前記上蓋間は、相互に反転させられ、
前記底板は、第一底板及び第二底板を有し、前記第一底板には、係合部材を設置し、前記第二底板には、カバー部材を設置し、
前記カバー部材上には、前記係合部材を収容できる収容設置口を設置し、前記係合部材と前記カバー部材は一体式の構造で、前記係合部材と前記カバー部材とは係合して結合し、収容設置空間を形成し、電子デバイスを収容して固定でき、
前記係合部材と前記カバー部材とは、動かして分離し、電子デバイスをリリースでき、前記第一底板と前記第二底板との間は、相互に反転させられ、こうして電子デバイスを立たせることができることを特徴とする保護ケース構造。
【請求項２】
前記カバー部材上と前記電子デバイスの押しボタン或いはインターフェース面の対応箇所には、複数の操作開口が設置されることを特徴とする請求項１に記載の保護ケース構造。
【請求項３】
前記係合部材及び前記カバー部材は、プラスチック材質或いは金属材質であることを特徴とする請求項２に記載の保護ケース構造。
【請求項４】
前記第一底板の係合部材を側視すると、Ｌ字型を呈することを特徴とする請求項３に記載の保護ケース構造。
【請求項５】
前記第一底板の係合部材は、１個設置され、前記電子デバイス中央の側辺に対応し係合して固定されることを特徴とする請求項４に記載の保護ケース構造。
【請求項６】
前記第一底板の係合部材は、１個設置され、前記電子デバイスの底部角に対応し係合して固定されることを特徴とする請求項４に記載の保護ケース構造。
【請求項７】
前記第一底板の係合部材は、少なくとも２個設置し、前記電子デバイスの側辺の上、下にそれぞれ対応し、係合して固定されることを特徴とする請求項４に記載の保護ケース構造。
【請求項８】
前記上蓋内側には、滑り止め面を設置されることを特徴とする請求項４に記載の保護ケース構造。
【請求項９】
前記上蓋の滑り止め面を設置される片側には、間隔を開けて配列する複数の滑り止め体を設置することを特徴とする請求項８に記載の保護ケース構造。
【請求項１０】
前記第二底板に設置されるカバー部材は一体で、側縁には凹槽が設置され、前記第一底板に設置される係合部材は、前記凹槽に対応し、前記カバー部材を固定し、且つ前記電子デバイスをいっしょに固定することを特徴とする請求項４に記載の保護ケース構造。
【考案の詳細な説明】
【技術分野】
【０００１】
本考案は電子製品（携帯電話端末、タブレットＰＣ等）の保護ケース構造に関し、特に上蓋を簡単に開けられ、或いはさらに係合部材をめくり上げ電子デバイスを反転させて立たせることができる保護ケース構造に関する。
【背景技術】
【０００２】
テクノロジーの進歩に従い、コンピューター製品はコンパクトで軽量になっている。且つスマートホン或いはタブレットＰＣ等は、高い機能を有しており、これまで考えられなかった利便性をもたらしている。業務であろうと、他の使用目的であろうと、メールの送受信、レポートの作成、電子商取引きに関する資料の処理など、どれも軽く薄く、且つ携帯に便利なタブレットＰＣ或いはスマートホンがあれば、それで充分である。
【０００３】
タブレットＰＣ或いはスマートホンは、既存のキーボード及びボタンを備えず、タッチパネルで置換するため、全体構造を効果的に縮小し、モニターの面積を拡大することができる。しかしながら、これによりタブレットＰＣ或いはスマートホンの表面及びモニターは、携帯の過程で傷が生じ、或いは汚れるという状況が発生し易い。そのため、タブレットＰＣ及びスマートホンの保護ケース或いは收納袋等の設計が次々に生み出されており、その種類は多様である。
【０００４】
比較的先進的な保護ケースでは、上蓋を有し、タッチパネルに基本的な保護を提供することができる他、反対側の機体をセットするカバー部材の下方には、多段階反転機能を備える底板を設置する。これにより、タブレットＰＣ或いはスマートホンは、手で持って使用でき、反転させて立たせテーブル面において使用することができる。但し、この種の保護ケースにおいては、底板は多段階の反転が可能であるが、それそのものには良好な固定設計がない。そのため、上蓋を開き手で持って普通に使用しようとしても、底板が反転に従い揺れて手を邪魔し、使用上の不便となることがある。特に、スマートホンの保護ケースとする場合には、手で持ち耳に当てて電話をする時には、上蓋が使用者の頬にぶつかり、通話の邪魔をすることもある。
【０００５】
上述の状況に対して、カバー部材と底板に磁石或いはマジックテープ（登録商標）を設置し、一時的な吸着と固定を提供する構造が開発されている。上述した従来構造は、底板が折れて揺れるという問題を解決することはできるが、このような設計は保護ケース構造を複雑にし加工を面倒にしてしまっている。且つ出来上がった保護ケースは厚くなり、全体の質感に悪影響を及ぼす。
【考案の概要】
【考案が解決しようとする課題】
【０００６】
本考案は従来の保護ケース構造が複雑で、使用において不便であるという問題を解決することができる保護ケース構造を提供する。
【課題を解決するための手段】
【０００７】
保護ケース構造は、底板、一端が該底板と相互に連接される連接板、及び該連接板のもう一つの端と連接される上蓋を有し、且つ該底板、該連接板及び該上蓋間は、相互に反転させられる。
該底板は、第一底板及び第二底板を有する。
該第一底板には、係合部材を設置し、該第二底板には、カバー部材を設置し、該カバー部材上には、該係合部材を収容できる収容設置口を設置する。
該係合部材と該カバー部材は一体式の構造で、該係合部材と該カバー部材とは係合して結合し、収容設置空間を形成する。これにより、電子デバイスを収容して固定することができる。
該係合部材及び該カバー部材は、めくって動かし分離させ、電子デバイスを離し、該第一底と該第二底板との間を相互に反転させて、電子デバイスを反転させて立たせることができる。
【０００８】
該保護ケース構造において、該カバー部材上の電子デバイスの押しボタン或いはインターフェース面との対応箇所には、複数の操作開口が設置される。
【０００９】
該保護ケース構造において、該係合部材及び該カバー部材は、プラスチック材質或いは金属材質である。
【００１０】
該保護ケース構造において、該第一底板の該係合部材を側視すると、Ｌ字型を呈する。
【００１１】
該保護ケース構造において、該第一底板の該係合部材は、１個設置され、電子デバイス中央の側辺に対応し係合して固定される。
【００１２】
該保護ケース構造において、該第一底板の該係合部材は、１個設置され、電子デバイスの底部角に対応して係合して固定される。
【００１３】
該保護ケース構造において、該第一底板の該係合部材は、少なくとも２個設置され、電子デバイスの側辺上、下にそれぞれ対応し、係合して固定される。
【００１４】
該保護ケース構造において、該上蓋内側には、滑り止め面を設置される。
【００１５】
該保護ケース構造において、該上蓋の滑り止め面を設置される片側には、間隔を開けて配列する複数の滑り止め体を設置する。
【考案の効果】
【００１６】
本考案には以下の長所が存在する。応用時には、２種の選択ができる。一種は、単純に上蓋を開き反転させ底板下方に重ねて使用する。もう一種は、上蓋を開き反転させ底板下方に重ね、さらに第一底板上の係合部材をめくり電子デバイスから離す。これにより、第二底板カバー部材内の電子デバイスを簡単に反転させ上蓋内側面に立たせて使用することができる。
【図面の簡単な説明】
【００１７】
【図１】本考案保護ケース構造の立体構造模式図である。
【図２】本考案保護ケース構造の別の角度の立体構造模式図である。
【図３】本考案保護ケース構造の係合部材の作動模式図である。
【図４】本考案保護ケース構造の電子デバイスと保護ケース構造の立体分解模式図である。
【図５】本考案保護ケース構造において電子デバイスを支えて立たせる状態を示す模式図である。
【図６】本考案保護ケース構造においてハンドヘルドデバイスと保護ケース構造の立体分解模式図である。
【図７】本考案保護ケース構造の異なる係合位置の実施構造模式図である。
【図８】本考案保護ケース構造の異なる係合位置の別種の実施構造模式図である。
【図９】本考案保護ケース構造の別種の実施形態である。
【図１０Ａ】本考案保護ケース構造の電子デバイスと保護ケース構造の嵌合例の立体模式図である。
【図１０Ｂ】本考案保護ケース構造の電子デバイスと保護ケース構造の嵌合例の立体模式図である。
【図１１Ａ】本考案保護ケース構造の電子デバイスと保護ケース構造を取り外した例の立体模式図である。
【図１１Ｂ】本考案保護ケース構造の電子デバイスと保護ケース構造を取り外した例の立体模式図である。
【考案を実施するための形態】
【００１８】
以下に本考案の技術内容、構造特徴、達成する目的及び作用効果について、以下に例を挙げ並びに図面を組み合わせて詳細に説明する。
【００１９】
図１〜図３は、本考案保護ケース構造の立体構造、別の角度の立体構造及び係合部材の作動模式図である。本考案保護ケース構造は、底板１、連接板２、上蓋３を有する。
底板１は、第一底板１１及び第二底板１２を備える。第一底板１１と第二底板１２は、相互に反転活動させることができる。第一底板１１の内面には、電子デバイス周縁を係合固定する係合部材１３を設置する。係合部材１３は側面から見ると、その構造はＬ字型構造で、第二底板１２上には、電子デバイス周縁を覆って定位するカバー部材１４を設置することができる。カバー部材１４上の電子デバイスの押しボタン或いはインターフェース面との対応箇所には、複数の操作開口１４１を設置する。且つカバー部材１４は、係合部材１３の位置に対応し、収容設置口１４２を設置する。収容設置口１４２は、第一底板１１の係合部材１３を収容して設置することができ、これにより係合部材１３が収容設置口１４２位置にある時、係合部材１３と収容設置口１４２とは、一体式の構造である。係合部材１３及びカバー部材１４の設置を通して、収容設置空間１５を形成する。これにより、電子デバイス５を収容して固定する（図４参照）。係合部材１３及びカバー部材１４は、プラスチック或いは金属材料により製造する。
連接板２は底板１と相互に連接され、連接板２は、底板１上で反転し動くことができる。
上蓋３は、連接板２と相互に連接される。上蓋３は、連接板２上で反転し動くことができる。
上蓋３内側には、滑り止め面４を設置し（図１、図２参照）或いは複数の滑り止め体４１を配列する（図３、図４参照）。滑り止め体４１は、間隔を開けて配列し設置される。
【００２０】
こうして、保護ケース構造は、シンプルに構成される。底板１とカバー部材１４との間には、従来の構造のように、さらにマジックテープ（登録商標）或いは磁石を設置する必要はない。これにより、加工製造が容易になる他、保護ケースも薄く美しくなる。且つ保護ケースはブランドの要求に応じてさまざまな大きさに製造することができるため、タブレットＰＣ（図４、図５参照）及びスマートホン（図６参照）等の電子デバイス５をセットし、美しい外観を実現し、表面の保護として使用することができる。
【００２１】
図４及び図５は、本考案保護ケース構造の電子デバイスと保護ケース構造との立体分解、及び電子デバイスを支えて立たせる状態を示す模式図である。電子デバイス５を本考案保護ケース構造にセットする時には、電子デバイス５を係合部材１３及びカバー部材１４により形成される収容設置空間１５内にセットする。次に、係合部材１３及びカバー部材１４を通して、電子デバイス５を係合して固定し、電子デバイス５固定の目的を達成する。使用者が携帯して使用する時には、上蓋３を電子デバイス５の方向へと閉めれば、美観を強化し、電子デバイス５保護の目的を達成することができる。
【００２２】
使用者がただシンプルに上蓋３を開ける時には、上蓋３を底板１方向へと反転させればよい。
この時、第一底板１１上には係合部材１３を設置し、電子デバイス５と固定を保持するため、使用中に電子デバイス５が離脱することはなく、上蓋３は、反転させ底板１下方に重ねることができ、第一底板１１が緩んで動くことはない。
【００２３】
使用者が電子デバイス５を一傾斜角度に立たせようとする時には、先ず上蓋３をめくる。これにより、上蓋３と底板１は完全展開の使用状況を呈する。この時、係合部材１３を少しめくり上げるだけで電子デバイス５をリリースすることができる。これにより、第二底板１２上カバー部材１４に位置する電子デバイス５は、第一底板１１と相互に重なり、側面から見ると、第一底板１１と第二底板１２との間は、く字型構造を呈する。この時、電子デバイス５は、カバー部材１４により、上蓋３内側滑り止め面４或いは滑り止め体４１上に支えられ、こうして電子デバイス５の傾斜角度を調整することができ、電子デバイス５は一傾斜角度を呈して立たせられ、使用することができる。
【００２４】
図７及び図８は、本考案保護ケース構造の異なる係合位置を示す実施構造模式図である。上記二つの実施形態において、係合部材１３は複数設置することができる（図７参照）。これにより、電子デバイス５の側辺の上、下にそれぞれ対応して係合固定することができる。係合部材１３もまた、電子デバイス５底部の角位置に対応して設置することができる（図８参照）。係合部材１３を違った位置、異なる数で設置することで、異なる電子デバイス５に応用でき、本考案の実用性を向上させることができる。
【００２５】
図９は、本考案保護ケース構造の別種の実施形態を示す。本実施形態において、第二底板１２に設置するカバー部材１４は一体であるため、電子デバイス５周縁を包み込んで定位することができる。且つカバー部材１４側縁には、凹槽である収容設置口１４２を開設する。第一底板１１には、収容設置口１４２に対応する係合部材１３を設置し、カバー部材１４を固定し、且ついっしょに電子デバイス５を固定する。
【００２６】
図１０Ａ、１０Ｂは、本考案保護ケース構造の電子デバイスと保護ケース構造の嵌合例の立体模式図である。使用時には、電子デバイス５をカバー部材１４が形成する収容設置空間１５内に入れ、続いて係合部材１３が凹槽状の収容設置口１４２に係合されていることを確認する。こうして、電子デバイス５周縁を包み込んで定位した後、係合部材１３によりカバー部材１４を固定し、第一底板１１及び第二底板１２はカバー部材１４の底部を包んで覆う。
【００２７】
図１１Ａ、１１Ｂは、本考案保護ケース構造の電子デバイスと保護ケース構造を分解した例の立体連続模式図である。収容設置空間１５内から電子デバイス５を取り出し、係合部材１３を取り外すと、係合部材１３はカバー部材１４への固定を解除される。この時、第一底板１１は、カバー部材１４の底部と分離される。続いて、電子デバイス５周縁からカバー部材１４を取り外し、電子デバイス５を取り出す。
【００２８】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２９】
１  底板
１１  第一底板
１２  第二底板
１３  係合部材
１４  カバー部材
１４１  操作開口
１４２  収容設置口
１５  収容設置空間
２  連接板
３  上蓋
４  滑り止め面
４１  滑り止め体
５  電子デバイス
【図１】
0003196372.tif 000003
【図２】
0003196372.tif 000004
【図３】
0003196372.tif 000005
【図４】
0003196372.tif 000006
【図５】
0003196372.tif 000007
【図６】
0003196372.tif 000008
【図７】
0003196372.tif 000009
【図８】
0003196372.tif 000010
【図９】
0003196372.tif 000011
【図１０Ａ】
0003196372.tif 000012
【図１０Ｂ】
0003196372.tif 000013
【図１１Ａ】
0003196372.tif 000014
【図１１Ｂ】
0003196372.tif 000015